(57)【特許請求の範囲】
【請求項１】
食品を収納する加熱室と、加熱室の開口部に装備した開閉自在なドアと、ドアの開閉に連動して作動するドアスイッチと、加熱室の開口部を構成する前板と、一端を前記ドアに回転可能に取り付けたドアアームと、一端をドアアームに取り付け、かつ、ドアアームを引力してドアを前板に密着させて閉じる方向に力を付与するバネと、前記ドアが閉じられる際のドアの閉じ速度を減速する方向に減衰力を付与する減衰手段とを備え、前記減衰手段はドアを閉じる際に所定の角度よりも小さくなった場合にはドアに減衰力を与え、該ドアが前板に当接して閉鎖されるまでは前記減衰力を除減することを特徴とする高周波加熱装置。
【請求項２】
食品を収納する加熱室と、加熱室の開口部に装備した開閉自在なドアと、ドアの開閉に連動して作動するドアスイッチと、加熱室の開口部を構成する前板と、一端を前記ドアに回転可能に取り付けたドアアームと、一端をドアアームに取り付け、かつ、ドアアームを引力してドアを前板に密着させて閉じる方向に力を付与するバネと、前記ドアが閉じられる際にドアの閉じ速度を減速する方向に減衰力を付与する減衰手段とを備え、前記減衰手段は、ドアを閉鎖する際に全開状態から所定の角度に至るまでの範囲と、ドアが略閉鎖されて前記前板に接触する近傍においては前記減衰力を作用させないことを特徴とする高周波加熱装置。
【請求項３】
前記減衰手段はドアアームに対して減衰力を付与することを特徴とする請求項１ないし請求項２に記載の高周波加熱装置。
【請求項４】
前記ドアを開放状態から閉鎖する際にドアアームに設けられた突起部の移動方向と回転ダンパに設けられた突起部との接触面とのなす角度は、突起部が接触面と接触を開始した時点での角度からドアが閉鎖するに従って減少し、ドアが閉鎖する時点においては突起部の移動方向と接触面とは略接線をなすことを特徴とする請求項１ないし請求項３のいずれかに記載の高周波加熱装置。
【発明の詳細な説明】
【技術分野】
【０００１】
本発明は、高周波加熱装置に関し、詳しくは加熱室の前面開口部を開閉するドアの開閉方式に関するものである。
【背景技術】
【０００２】
従来、高周波加熱装置のドアとしては、図１に記載されているようなものが一般的であった。
【０００３】
図１は従来及び本発明を説明するための高周波加熱装置の外観斜視図である。
【０００４】
図において、本体１の前面に開口部４、内部に加熱室３が設けられ、開口部４を通して加熱室３の内部に食品２を出し入れすることができるようになっている。開口部４の周囲は金属板からなる前板５が設けられている。
【０００５】
開口部４には、開閉自在な縦開きドア６が設けられ、このドア６を開放すれば、食品２を加熱室３から出し入れすることができる。食品２の加熱中は、前記縦開きドア６は前板５に対して所定の押圧力で密着されている。
【０００６】
ドア６には透明ないし半透明なファインダ部６ａが設けられており、ドア６が閉じられているときは加熱室３内の様子を観察することができる。ドア６には、取手６ｂが設けられ、この取手６ｂを手で掴んで操作することで開閉できる。
【０００７】
ドアアーム７は、前板５に設けられた穴５ａを貫通しており、一端はドア６に回転可能に支持され、他端には図示していないコイルバネが取り付けられ、コイルバネの他端は本体の一部に固定されている。このドアアーム７は、開口部４を挟んで左右２箇所に設けられ、ドア６が開ききったとき安定になるよう支えたりするものである。
【０００８】
８は加熱室３やドアアーム７やコイルバネなどの構成部品を覆うキャビネットである。
【０００９】
９はドアスイッチで、ドア６が閉じられているとき図示していない高周波発生装置の本体１を動作可能とし、ドア６が前板５から離れて開くとき本体１を動作不可とするものである。
【００１０】
従来から、高周波加熱装置の本体１のドア６は、加熱室３の開口部４を塞ぐために設けられたもので、食品２の調理中は加熱室３内の高周波が外部に漏洩しないようにするとともに、熱や水蒸気などもできるだけ加熱室３外に漏れないようにする構造が取り入れられている。
【００１１】
また、ドア６は、食品２の有無や、加熱中食品の加熱状況が観察できるよう高周波漏洩防止用の金属パンチング穴と、これを保護する耐熱ガラスから構成されるファインダ部
６ａが設けられ、加熱室３内が覗ける構造が取り入れられている。さらに使用者が操作する取手６ｂを有している。
【００１２】
従って、ドア６の構造が複雑になり、ドア６の重量が重くなるとともに、加熱室３の開口部４周辺の平面部とドア平面部との密着を良くするためにドア６をコイルバネなどで強く引き込む構成が一般的であり、このためにドア６を閉じる際の開閉動作が重くなるとともに、ドア６を閉鎖する際にはドア６と前板５とが衝突して衝撃音が発生する。
【００１３】
この従来の高周波加熱装置におけるドアの開閉装置１０の構成と動作について図６から図８を用いて説明する。
【００１４】
図６はドア６が閉鎖されている状態を示している。ドア６は回転支点１１のまわりに回転自在に軸支されている。バネ１２は、一端を本体１に固定されたバネ掛け部１３に引っ掛けられ、他端をドアアーム７に設けられたバネ掛け部１４に引っ掛けられ、バネ１２に生じる矢印１５ａ方向の引っ張り力でドアアーム７に設けられたバネ掛け部１４を引っ張る。
【００１５】
ドアアーム７は、回転支点１６のまわりに回転自在に軸支されたローラ１７に対してその摺動面１８が接しており、かつ、ドアに設けられたドアピン２０に対して回動自在に軸支されている。
【００１６】
また、ドアアーム７は、バネ１２によりバネ掛け部１４に加えられる矢印１５ａ方向の引っ張り力によって摺動面１８がローラ１７に沿って移動しようとし、結果としてドアピン２０に対して矢印２１ａ方向の力を与え、ドア６は前板５に向かって所定の力で押し付けられて前板５との隙間を塞ぎ、さらにドア６は図１に示すドアスイッチ９を押してドア６が正しく閉鎖されたことを検出する。
【００１７】
図７は、ドア６が開放された状態を示している。ドア６の開放とともにドアアーム７はドアピン２０によって前板５より引き出され、摺動面１８はローラ１７に沿って移動する。摺動面１８の後端にあるストッパ１９がローラ１７に当接すると、ドアアーム７はそれ以上引き出されることはなく、ドア６は全開の状態となる。このとき、バネ１２は、バネ掛け部１４に対して矢印１５ｂ方向の引っ張り力を与え、ドアアーム７はドアピン２０に対して矢印２１ｂ方向の引っ張り力を与えてドア６を閉じる方向の力を生じるが、ドア６は重心Ｇに自重Ｗなる質量を持っているので、自重による開きモーメントとアームから生じる閉じモーメントの大小関係として、（自重による開きモーメント）＞（アームから生じる閉じモーメント）となるようにバネ力を設定すれば、ドア６は全開の状態を保持できる。
【００１８】
図８は、ドア６が開閉する途中の状態で、ドア６が開閉いずれの力を生じるかを説明した図である。
【００１９】
この図８において、ドア６が開き、第一の角度θ１までドア６を開いた状態（第一の開き角度）を６′とする。ドア６の開き角度がθ０からθ１の範囲（第一の角度範囲）においては、バネ１２の引っ張り力１５ｃによってドアアーム７が矢印２２方向に引っ張られることによって生じるドア６を閉じる方向に働くモーメントは、ドア６の重心Ｇに働く自重Ｗによって生じるドア６を開く方向に働くモーメントより大きく、ドア６は矢印２３方向に移動して図６の状態に至るまで閉じる。
【００２０】
一方、ドア６の開き角度がθ１よりも大きい第二の角度まで開いた場合（第二の開き角度）には、ドア６の重心Ｇに働く自重Ｗによって生じるドアを開く方向に働くモーメントが、バネ１２の引っ張り力１５ｃによってドアアーム７が矢印２２方向に引っ張られることによって生じるドア６を閉じる方向に働くモーメントよりも大となるために、ドア６は矢印２４の方向に移動して図７に示した全開状態に至る。
【００２１】
以上のような構成なので、ドアは開き角度がθ１より小となった場合には、バネ力によって閉じる力が常に加わるので、もしユーザが取手６ｂから手を離した場合には、ドア６は前板５に勢い良く衝突するので耳障りな衝撃音がする。
【００２２】
また、ドア６を図７に示した全開状態から、ユーザが勢いを付けて閉じた場合には、ドア６の開き角度がθ１以下になってからさらにバネ力による閉じ方向のモーメントが加わるので、ドアが閉じた際の衝撃音はさらに大きくなる。
【００２３】
これらの従来技術において、前記した衝撃音を解決するドアの開閉方式として特許文献１から３に示すものがある。
【００２４】
【特許文献１】特開２００２−３９５４１号公報
【特許文献２】特開２００２−２２８１６１号公報
【特許文献３】特開平１１−３２５４７６号公報
【発明の開示】
【発明が解決しようとする課題】
【００２５】
前記特許文献１には、ドアの開閉に連動して動作する作動レバーと、連結レバーとを備え、ドアを閉じた際と、ドアを開いた際の衝撃力をともにダンパに伝達して緩衝する構成が開示されている。
【００２６】
しかし、この構成においては、ドアを開閉する途中においてダンパの先端が前板から出っ張るのでユーザからは邪魔である。
【００２７】
また、特許文献２には、ドアの回転支点であるヒンジ部にドアの開閉動作に応じて作動するダンパを設けて、開閉動作の双方、又は閉動作方向にのみ動作する構成が開示されている。
【００２８】
しかし、かかる構成においては、ドアを開閉動作する間の全ての動作範囲、又は閉動作間の全ての動作範囲においてダンパによる抵抗力が動作力に付加されるため、ユーザにとってドアの開閉動作が重くなるか、ドアの閉鎖動作が遅くなる。
【００２９】
さらに、特許文献３には、ドアと対抗した本体の前板にダンパを突き出して設けた構成が開示されているが、この構成においては、ダンパの先端が前板から出っ張っているのでユーザが邪魔である。
【００３０】
ところで、上記した各特許文献には記載されていないが、高周波加熱装置ではドアを閉鎖する際に減衰ダンパによる減衰力でドアを減速すると、ドアは静粛に閉じて不快な騒音を生じないが、一方でこの減衰力をドアが閉鎖する期間中、常時作用させてドアの閉鎖速度を極度に低減させるとほぼ無音のままドアが閉じる。しかし、このようにドアの閉鎖が静粛すぎる場合には、音がしないために操作者にとってドアが正しく閉鎖されたか否かの判別がつきにくい場合がある。
【課題を解決するための手段】
【００３１】
本発明は上記の課題を解決するためになされたものであり、請求項１では、食品を収納する加熱室と、加熱室の開口部に装備した開閉自在なドアと、ドアの開閉に連動して作動するドアスイッチと、加熱室の開口部を構成する前板と、一端を前記ドアに回転可能に取り付けたドアアームと、一端をドアアームに取り付け、かつ、ドアアームを引力してドアを前板に密着させて閉じる方向に力を付与するバネと、前記ドアが閉じられる際のドアの閉じ速度を減速する方向に減衰力を付与する減衰手段とを備え、前記減衰手段はドアを閉じる際に所定の角度よりも小となった場合にはドアに減衰力を与え、該ドアが前板に当接して閉鎖されるまでは前記減衰力が除減するものである。
【００３２】
また、請求項２では、食品を収納する加熱室と、加熱室の開口部に装備した開閉自在なドアと、ドアの開閉に連動して作動するドアスイッチと、加熱室の開口部を構成する前板と、一端を前記ドアに回転可能に取り付けたドアアームと、一端をドアアームに取り付け、かつ、ドアアームを引力してドアを前板に密着させて閉じる方向に力を付与するバネと、前記ドアが閉じられる際にドアの閉じ速度を減速する方向に減衰力を付与する減衰手段とを備え、前記減衰手段は、ドアを閉鎖する際に全開状態から所定の角度に至るまでの範囲と、ドアが略閉鎖されて前記前板に接触する近傍においては前記減衰力を作用させないものである。
【００３３】
また、請求項３では、前記減衰手段はドアアームに対して減衰力を付与するものである。
【００３４】
さらに、請求項４では、前記ドアを開放状態から閉鎖する際にドアアームに設けられた突起部の移動方向と回転ダンパに設けられた突起部との接触面とのなす角度は、突起部が接触面と接触を開始した時点での角度からドアが閉鎖するに従って減少し、ドアが閉鎖する時点においては突起部の移動方向と接触面とは略接線をなすものである。
【発明の効果】
【００３５】
本発明によれば、加熱室のドアを素早く開閉した場合に、閉時の緩衝効果があるため、全開状態から一気にドアを閉じた場合でもスムースなドアの閉動作ができる。
【００３６】
また、ドアを閉鎖した際に適度な閉鎖音がするため、操作者にとってドアが正しく閉鎖されたか否かの判別がつきやすいという効果がある。
【００３７】
さらに、本体前面の前板に減衰手段による出っ張りがないためユーザが食品を出し入れする際に邪魔になることがない。
【発明を実施するための最良の形態】
【００３８】
以下、本発明の実施例を図面に基づいて説明する。
【００３９】
図２はドア６が途中まで閉じた状態を示し、図３はドア６が閉じかけた状態を示し、図４はドア６が閉じた状態を示している。
【００４０】
減衰手段を構成する回転ダンパ３０は、本体１の側面に設けられた回動中心３０ｃのまわりに回動自在に支持されている。また、回転ダンパ３０には回動アーム３５が回転ダンパ３０と共に回転するように設けられており、後述するピン７Ｐが前記回動アーム３５の接触面３３に接し又は離脱できる構成となっている。
【００４１】
リターンスプリング３１は、一端を回転ダンパ３０に設けられたフック部３２に引っ掛け、他端を加熱装置本体１に設けられたバネ掛け部３２Ａに引っ掛けており、回転ダンパ３０を常時矢印ＣＷ方向に付勢して回動アーム３５がストッパ３６に当接するまで回動できる構成となっている。
【００４２】
ドアアーム７の一端には、突起部、例えば円筒状のピン７Ｐが設けられており、ドア６が開閉するに従って動作軌跡３４に沿って移動する。
【００４３】
図２に示したように、ドア６が全開の状態６Ｃから閉じかけた状態６ｄ（第一の角度）に至るまでの範囲においては、ピン７Ｐは回転ダンパ３０の回動アーム３５とは接触していないので減衰力は作用せず、回転ダンパ３０を備えない従前の電子レンジと同様な操作感覚を実現できる。
【００４４】
ドア６が６ｄの状態（第一の角度）に至ると、ピン７Ｐは回転ダンパ３０に設けられた回動アーム３５に接するので回転ダンパ３０を矢印ＣＣＷ方向に回転させ、回転ダンパ
３０は所定の減衰力（負荷トルク）を生じる。このとき、ピン７Ｐと回動アーム３５の接触面３３との接する角度θは図２に示すように概ね９０°よりも大となる。
【００４５】
図３は、ドア６がさらに閉鎖方向に移動して閉鎖される途中にある状態を示し、回転ダンパ３０はピン７Ｐによって図２に示した位置よりさらに矢印ＣＣＷ方向に回転されている。
【００４６】
図３の状態においては、ピン７Ｐが前記動作軌跡３４に沿って移動し、回動アーム３５は矢印ＣＣＷ方向に回転するので回転ダンパ３０によって所定の回転負荷トルクが発生し、回動アーム３５からピン７Ｐを介して矢印２５方向の力がドアアーム７に加わるのでドア６を閉じる速度を減速することができる。ここで、回動アーム３５の接触面３３とピン７Ｐとのなす角度θは図２に示した状態よりも小さくなり、図３においては概ね６０°となっている。
【００４７】
さらに、ドア６が前板５に当接して完全に閉鎖された状態を図４に示す。図４においては、ドア６が閉鎖された位置で回動アーム３５がピン７Ｐに接する位置まで回転して静止する構成である。このとき、回動アーム３５の接触面３３とピン７Ｐとの接触角度θはほぼ０となっている。すなわち、ドア６が前板５に当接して閉鎖された時には回動アーム
３５の接触面３３はピン７Ｐの動作軌跡３４の略接線方向を向いた状態となるような位置関係としている。このような位置関係とすることにより、図４に示したドア６が閉鎖される近傍においては、ピン７Ｐが動作軌跡３４に沿って移動しても回転ダンパ３０が回転することはない。そのため、回転ダンパ３０によって生じる負荷トルクはピン７Ｐには作用しないので、ドアアーム７およびドア６にはダンパによる減衰力は除減して作用しない。そのため、ドアアーム７は、バネ１２による引き力を受けてドア６を閉める力が作用する構成である。
【００４８】
本発明は上記したように、高周波加熱装置のドア６を閉鎖する際に、全開の状態から第一の角度に至るまでの範囲と、ドア６が閉鎖されて加熱室前面の前板５に接触する近傍の範囲の双方においてはドア６に減衰力が作用しないようにし、また、ドア６が所定の角度にまで閉鎖された後、ドア６が閉鎖される直前までは回転ダンパ３０による減衰力を作用させ、さらに、ドア６が閉鎖される時点では、ドアアーム７に対して回転ダンパ３０による減衰力を作用させない構成としたので、ドア６を閉じる際にドア６が前板５に衝突して不快な衝撃音を発生するのを低減することができる。
【００４９】
また、前記減衰手段はドア６を閉じる際にのみ動作し、ユーザがドア６を開く際には減衰力は作用しないのでドアの開き力が増大することはい。
【００５０】
また、ドア６が前板５に衝突する際には所定以上の速度を保つので、適度なドア閉鎖音が発生し、操作者に対してドア６が閉鎖されたことを明確に聴感上で伝達することができる。
【００５１】
また、ドア６を開く際には、回転ダンパ３０はリターンスプリング３１により回転ダンパ３０に加えられる図示ＣＷ方向の回転トルクによってストッパ３６に当接するまで回動して停止するので、回転ダンパ３０により生じる負荷トルクがピン７Ｐを介してドアアーム７に伝えられることはなく、ドア６の開き動作には影響を及ぼさない。
【００５２】
さらに、ドアアーム７に設けたピン７Ｐを回転ダンパ３０の回動アーム３５に設けた接触面３３にドア６の開閉動作に応じて嵌合または離反自在に配置したので、ドア６が全開の時にも前板５に余計な出張りを生じることがなくなり、ユーザが食品を出し入れする際に邪魔になることはなく、使い勝手の点で好適である。
【００５３】
なお、上記実施例において、減衰手段は一例としては粘性を備えたオイルを封入して該オイルにより生じる剪断力を用いてもよいし、又はオイルなどを用いずに摩擦板を互いに圧接して摩擦による負荷を生じる構成を用いてもよい。
【００５４】
また、本実施例によるドアアーム７は、図１に示すようにドア６両側に備えられた構成に限定されるものではなく、図５に示すように、ドア６の片側のみに設けた構成であっても同様な作用効果を有するものであることはもちろんである。
【図面の簡単な説明】
【００５５】
【図１】従来及び本発明の一実施例における高周波加熱装置の外観斜視図である。
【図２】本発明の一実施例における高周波加熱装置のドアが途中まで閉じた状態を示す説明図である。
【図３】本発明の一実施例における高周波加熱装置のドアが閉じかけた状態を示す説明図である。
【図４】本発明の一実施例における高周波加熱装置のドアが閉じた状態を説明する説明図である。
【図５】本発明の他の実施例における高周波加熱装置の外観斜視図である。
【図６】従来の高周波加熱装置のドアが閉じた状態を示す説明図である。
【図７】従来の高周波加熱装置のドアが開いた状態を示す説明図である。
【図８】従来の高周波加熱装置のドアが途中まで開いた状態を示す説明図である。
【符号の説明】
【００５６】
１…本体、２…食品、３…加熱室、４…開口部、５…前板、６…ドア、７…ドアアーム、７Ｐ…ピン、９…ドアスイッチ、１２…バネ、３０…回転ダンパ、３０ｃ…回転中心、３１…リターンスプリング、３５…回動アーム。
【図１】
0004457078.tif 000002
【図２】
0004457078.tif 000003
【図３】
0004457078.tif 000004
【図４】
0004457078.tif 000005
【図５】
0004457078.tif 000006
【図６】
0004457078.tif 000007
【図７】
0004457078.tif 000008
【図８】
0004457078.tif 000009